(57)【要約】      （修正有）【課題】充分な通気性を確保しつつ、高い防水性能を得ることができる防水型換気ガラリを提供する。【解決手段】複数の横羽根板３を並設し、これら羽根板３同士の間隙でもって通気可能かつ羽根板３によって防水を行う換気ガラリにおいて、縦方向断面が略く字型の縦羽根板３の屈折点３ａを境界にして互いに湾曲方向の異なる第１の弧状面８及び第２の弧状面９が連続して形成する。また、その屈折点３ａの内側に第１の弧状面８から上方に延出して上端垂直部１４、第２の弧状面９から下方に延出して下端垂直部１５を形成し、第１の弧状面８の上下端から内側に向かって二箇所の断面が逆Ｌ字型をした中間溝部１２及び１３を一体形成する。更に第２の弧状面９の下端縁には、外側に向かって断面が逆Ｌ型をした下縁溝部１１、内側に向かって鋭角な折返し片１０を一体成形する。そしてこれらの部材の表裏面全体に亘って微細な凹凸条を形成する。【選択図】図４
0003166562.tif 000002
【実用新案登録請求の範囲】
【請求項１】
建物の開口部に設けられ、複数の羽根板を並設し、これら羽根板同士の間隙でもって通気可能に設けられると共に、該羽根板によって防水を行う防水ガラリにおいて、少なくとも当該ガラリの羽根板表面に複数の凹凸条を設けたことを特徴とする防水型換気ガラリ。
【請求項２】
羽根板の左右両端にアタッチを配し、落水用の間隙を設けたこと特徴とする請求項１記載の防水型換気ガラリ。
【考案の詳細な説明】
【技術分野】
【０００１】
本考案は、建物の開口部等に取り付けて通気を良好にし、且つ雨水の侵入を防ぐために使用される通称ガラリと呼ばれる建具に関し、とくにその防水構造に関するものである。
【背景技術】
【０００２】
従来、工場、発電所、体育館、倉庫、ビル、家屋等の建物の排気口などの開口部に、換気を目的として取付けられるガラリは、基本的には複数の羽根板を所定の枠体に横方向あるいは縦方向に格子状に並べた構成とされている。
【０００３】
従来のガラリは、羽根板を横方向に並べたタイプのものが主流であった。もちろん、この従来型のガラリも羽根板を下向きに傾斜させて配置して日光や雨を防ぐようにしてあるが、強風雨時の横なぐりの雨等に対しては、かなりの雨水が建物内に侵入してしまうという欠点があった。このため、室内に水受けを取り付けたり、外部に別途フードを取り付けたりする必要があった。そこで、充分な通気性を確保し、尚且つ強風雨時の雨水の侵入を防止するために、羽根板を縦に配した縦ガラリ、あるいは横羽根板と縦羽根板とを交互に組み合わせた復層ガラリ等といったものが開発されている。その中でも、特許文献１あるいは特許文献２及び特許文献３所載のもののように、羽根板の幅方向の断面を略く字型やＳ字状に構成し、通気性及び風雨に対する遮蔽効果の向上を目指したガラリが提案されている。
【０００４】
そして、本出願人は、上記従来のようなガラリの更なる性能向上のために鋭意研究を重ね、建物の開口部に設けられ、複数の羽根板を格子状に並設し、これら羽根板同士の間隙でもって通気可能に設けられると共に、該羽根板によって防水を行う防水及び防雪型ガラリにおいて、羽根板の幅方向断面形状を略く字型とすると共に、該羽根板の屈折点を境界にして互いに湾曲方向の異なる弧状面を設けたことを特徴とする防水型換気ガラリを提案している（特許文献４参照。）。
【先行技術文献】
【特許文献】
【０００５】
【特許文献１】特開平５−０４４３１４号公報
【特許文献２】特開平１１−０６２４１９号公報
【特許文献３】特開平１１−１６６３７６号公報
【特許文献４】特開２００２−２７６２５６号公報
【０００６】
この特許文献４に開示されたガラリにおいては、通常の風雨に対しては１００％に近い防水率を達成しているが、台風等の異常な強風時に若干の漏水が見受けられることがある。これはアルミ材の表面に付着する玉状の水滴が流下せずに強風により吹き飛ばされてしまうことに起因する。水滴は水の表面張力によりできるもので、本考案者は、この表面張力を奪取すれば、ガラリの羽根板に表面に付着した水滴による漏水は防ぐことができると考えた。すなわち、本考案者は、ガラリにおける雨水捕捉性能をさらに高めるべく鋭意研究を重ね、羽根板表面に微細な凹凸条を設けることで、水滴の表面張力が奪取できるのではないかと考えた、そこで、先行技術を調査した結果、下記５件の特許文献が抽出された。
【０００７】
【特許文献５】特開２００８−１９５００号公報
【特許文献６】特開２００８−９０５１６６号公報
【特許文献７】特開平９−２０３２７９号公報
【特許文献８】特開２００２−９７８６８号公報
【特許文献９】実用新案登録第４０５７３３０号公報
【考案の概要】
【考案が解決しようとする課題】
【０００８】
これらの先行技術は、いずれもアルミ建材の意匠性向上や室内の遮蔽あるいは塗膜の活着性を向上させるための下地処理等を目的として梨地加工を施すものであり、雨水の捕捉を目的とした本考案とは大きく相違する。本考案は、充分な通気性を確保しつつ、高い防水性能を得ることができる防水型換気ガラリを提供することを目的とするものである。
【課題を解決するための手段】
【０００９】
このため本考案は、建物の開口部に設けられ、複数の羽根板を並設し、これら羽根板同士の間隙でもって通気可能に設けられると共に、該羽根板によって防水を行う防水型換気ガラリにおいて、少なくとも当該ガラリの羽根板表面に複数の凹凸条を設けたことを第１の特徴とする。また、羽根板の左右両端にアタッチを配し、落水用の間隙を設けたことを第２の特徴とする。
【考案の効果】
【００１０】
本考案に係る防水型換気ガラリにおいて、外気は各羽根板間の空隙を流通するが、羽根板表面に形成された微細な凹凸条により、雨水が確実に捕捉され、この捕捉された雨水が水滴となってガラリ内下方に流れ落ち、ガラリ底部に形成された排水用傾斜面を伝って排出され、雨水に対する高い防水性能を得ることができる。
【図面の簡単な説明】
【００１１】
【図１】本考案に係る防水型換気ガラリの正面図である。
【図２】図１の平面断面図である。
【図３】図１の縦断面図である。
【図４】横羽根板の拡大断面図である。
【図５】アタッチの拡大断面図である。
【図６】羽根板の要部拡大断面図である。
【図７】本考案に係る防水型換気ガラリの横羽根板形状を示す斜視図である。
【考案を実施するための形態】
【００１２】
以下、本考案の実施の形態を図面に示す実施例に基づいて説明する。
【実施例１】
【００１３】
図１乃至図３において、１は防水型換気ガラリで、アルミサッシ製の矩形状枠体２に複数の横羽根板３、３…が一体的に連設された外側面４と、内側面５とを備えており、この内側面５が室内に臨む状態で、枠体２の上下端、左右端に形成された取り付け部が建物の開口部に取り付けられる構成とされている。
【００１４】
図４に示すように、横羽根板３、３…は、アルミ製の板材からなり、縦方向断面が略く字型をなし、当該横羽根板３の屈折点３ａを境界にして互いに湾曲方向の異なる第１の弧状面８及び第２の弧状面９が連続して形成されている。また、その屈折点３ａの内側に第１の弧状面８から上方に延出して上端垂直部１４が、第２の弧状面９から下方に延出して下端延出部１３が形成されると共に、第１の弧状面８の上下端から内側５に向かって二箇所の断面が逆Ｌ字型をした中間溝部１２及び１３が一体形成され、更に第２の弧状面９の下端縁には、外側４に向かって断面が逆Ｌ型をした下縁溝部１１、内側５に向かって鋭角な折返し片１０が一体成形されている。すなわち、第１及び第２の弧状面８及び９、中間溝部１２及び１３、下縁溝部１１からなる断面形状が連続した型材によって縦羽根板３が構成されている。そして、すべての弧状面８及び９の表裏面及び上下端垂直部１４及び１５、中間溝部１２及び１３と折返し片１０の外表面には、金型（ダイス）を基に押し出して微細な凹凸条１８を有する保水面が形成され、雨水等による水滴の表面張力を奪取することで確実に捕捉できるようにされている。そして、これらの横羽根板３、３…同士の間隙６（通気路）でもって屋外から屋内に外気を流通させるものとされている。
【００１５】
また、図５に示すように、横羽根板３の左右両端には、複数の縦リブ２ｂが突出して形成されたアタッチ２ａを配し、落水用の間隙Ｄが設けられている。尚、このアタッチ２ａの表面にも微細な凹凸条１８が形成されている。図６に示すように、すべての凹凸条１８は、外径Φ０．３ｍｍ円筒状のギザギザの凹凸条になるように表面を加工してある。尚、図中１６ａ及び１７ｂは、後述する横羽根板３のビス孔１６及び１７に対応するビス孔である。
【００１６】
尚、横羽根板３の弧状面８及び９は上下どちらの方向に湾曲していてもよいし、直線的な傾斜面であっても、内部下方に向かって傾斜していればよい。好ましくは、取り込まれた雨水を含む外気の流れを最良にするために、本実施例のように湾曲した形状で、内部下方に向かって傾斜して形成される。また、横羽根板３、３…は、上下方向に一定間隔置きに配設されるので、同様に上下方向に一定間隔置きに横長孔状の複数の換気孔６、６…が形成される。また、横羽根板３の上端垂直部１４及び下端垂直部１５の端部にはそれぞれビス孔１６及び１７が設けられ、このビス孔１６及び１７を介して横羽根板３が枠体２にビスで固定される。各横羽根板３、３…は、その幅方向のほぼ中心において断面略く字状で且つ外側に向かって膨出あるいは窪んだ円弧状に形成されているので、縦羽根板７間を流通する空気に遠心力を付与し、流通空気の抵抗を大幅に削減することができる。さらに、この流通空気が第１及び第２の弧状面８及び９に衝突すると、流通空気に含まれる雨水を捕捉し、樋部１９又は２０に流下して貯留されながらアタッチ２ａとの間隙Ｄから排出することができる。
【００１７】
上記のように構成される横羽根板３、３…を互いに平行に並べ、矩形状枠体２内に固定する。その際、各横羽根板３、３…は、隣接するもの同士の間において、羽根板３の上端が他方の下縁部と重なり合うように位置させ、且つ、横羽根板３の内側面と他方の羽根板３の外側面との間に断面が略く字状をした間隙（通気路）６が形成されるように並設する。また、ガラリ１の底部には、底板７が取り付けられ、ガラリ１の内部から前面外部に向かって下方に傾斜した排水用傾斜面が形成されている。本考案では複数の羽根板３を横方向に配置するが、その羽根板３が縦方向に断面略く字状で且つ、２つの弧状面８及び９を設けているので、屋外からの風雨や雪が各弧状面に倣って円滑に流動して充分な換気を行なうことができる。また、これら弧状面８及び９の背部及び端部に、中間溝部材１０及び下縁溝部材１１により上下方向に溝が形成され、さらに、弧状面９の表裏面全体に亘って微細な凹凸条１８が形成されており、これらの溝や凹凸条１８によって屋外から屋内への風雨や雪の侵入を防止し、水滴を捕捉して集積して流下させることができる。
【００１８】
詳しくは、外気は空隙６内を自由に通過し、上空から自然に降る雨水は、そのほとんどが樋部１９又は２０に受け止められる。一方、風と共に吹き込まれる雨水は、先ず、第１の弧状面８の膨出部分に衝突してほとんどが、第２の弧状面９に捕捉されて流下し、次に、第２の弧状面９で捕捉しきれなかった残りの雨水は、下縁溝部材１１に受け止められ流下するので、屋外から屋内への雨水の侵入は確実に防止される。
【００１９】
［試験例］
表面加工されていない従来品二品（開口率３３％及び開口率５０％）と、図６ａに示す本実施例１（開口率４４％）と図６ｂに示す本実施例２（開口率４４％）に風速を変化させて水を噴霧した。結果を表１に示す。
【００２０】
【表１】
0003166562.tif 000003
【００２１】
表１から分かるように、本考案に係る防水型換気ガラリは極めて高い防水率を示した。
【符号の説明】
【００２２】
１    防水型換気ガラリ
２    枠体
２ａ  アタッチ
２ｂ  縦リブ
３    横羽根板
３ａ  屈折点
４    外側面
５    内側面
６    換気孔
７    底板
８    第１の弧状面
９    第２の弧状面
１０  下縁折返片
１１  下縁溝部
１２  中間溝部
１３  中間溝部
１４  上端垂直部
１５  下端垂直部
１６  ビス孔
１６ａアタッチ側ビス孔
１７  ビス孔
１７ａアタッチ側ビス孔
１８  捕水面（凹凸条）
１９  樋部
２０  樋部
Ｄ    落水用の間隙
【図１】
0003166562.tif 000004
【図２】
0003166562.tif 000005
【図３】
0003166562.tif 000006
【図４】
0003166562.tif 000007
【図５】
0003166562.tif 000008
【図６】
0003166562.tif 000009
【図７】
0003166562.tif 000010